(57)【特許請求の範囲】
【請求項１】
タッチされた箇所を一又は複数検出可能な位置検出部と、コンテンツを表示可能な表示部とを備えたコンテンツ表示装置において、
前記位置検出部により、複数のタッチされた箇所を頂点とする領域を算出する領域算出手段と、
前記領域に含まれているコンテンツを、コンテンツ群として管理するコンテンツ群管理手段と、
表示されているコンテンツのうち、前記コンテンツ群に含まれるコンテンツをコンテンツ群表示とするコンテンツ群表示手段と、
を備え、
前記コンテンツ群管理手段は、複数のコンテンツが重なった領域に指先が複数タッチされ、その後、指先を中心方向に動かした場合に、前記複数のコンテンツをコンテンツ群として管理し、
前記コンテンツ群表示は、前記コンテンツの一部に重畳して透過表示される第１領域と、第１領域以外のコンテンツの一部が表示される第２領域とに分かれており、
前記コンテンツ群表示において前記タッチが検出された位置が、第１領域と第２領域とで、当該コンテンツ群表示において可能な操作が異なることを特徴とするコンテンツ表示装置。
【請求項２】
前記第１領域においてタッチが検出された場合には、前記コンテンツ群表示に対して回転、拡大、縮小又は移動の操作が行われることを特徴とする請求項１に記載のコンテンツ表示装置。
【請求項３】
前記第２領域においてタッチが検出され、移動操作が検出された場合には、タッチにより選択されているコンテンツを前記コンテンツ群から取り出すことを特徴とする請求項１又は２に記載のコンテンツ表示装置。
【請求項４】
前記コンテンツ群表示は、前記第１領域は透過表示されるクリアファイル表示されていることを特徴とする請求項１から３の何れか一項に記載のコンテンツ表示装置。
【請求項５】
前記コンテンツ群に含まれるコンテンツが１つの場合には、前記クリアファイル表示を消去することを特徴とする請求項４に記載のコンテンツ表示装置。
【請求項６】
一のコンテンツ群が表示されている場合に、他のコンテンツ又は他のコンテンツ群上においてタッチを検出し、検出された他のコンテンツ又は他のコンテンツ群を一のコンテンツ群へ移動することにより、一のコンテンツ群に、他のコンテンツ又は他のコンテンツ群を更に含めることを特徴とする請求項１から５の何れか一項に記載のコンテンツ表示装置。
【請求項７】
携帯端末装置と通信可能な通信部を更に有しており、
前記携帯端末装置との通信が行われた場合には、前記コンテンツ群を携帯端末装置に送信することを特徴とする請求項１から５の何れか一項に記載のコンテンツ表示装置。
【請求項８】
タッチされた箇所を一又は複数検出可能な位置検出部と、コンテンツを表示可能な表示部とを備えたコンテンツ表示装置において、
前記位置検出部により、複数のタッチされた箇所を頂点とする領域を算出する領域算出手段と、
前記領域に含まれているコンテンツを、コンテンツ群として管理するコンテンツ群管理手段と、
表示されているコンテンツのうち、前記コンテンツ群に含まれるコンテンツをコンテンツ群表示とするコンテンツ群表示手段と、
を備え、
前記コンテンツ群表示は、前記コンテンツの一部に重畳して透過表示される第１領域と、第１領域以外のコンテンツの一部が表示される第２領域とに分かれており、
前記コンテンツ群表示において前記タッチが検出された位置が、第１領域と第２領域とで、当該コンテンツ群表示において可能な操作が異なり、
前記第２領域においてタッチが検出されているときに、前記第１領域においてスライド操作が検出された場合には、前記コンテンツ群に表示されているコンテンツを切り替えて表示することを特徴とするコンテンツ表示装置。
【請求項９】
タッチされた箇所を一又は複数検出可能な位置検出部と、コンテンツを表示可能な表示部とを備えたコンテンツ表示装置における表示方法において、
前記位置検出部により、複数のタッチされた箇所を頂点とする領域を算出する領域算出ステップと、
前記領域に含まれているコンテンツを、コンテンツ群として管理するコンテンツ群管理ステップと、
表示されているコンテンツのうち、前記コンテンツ群に含まれるコンテンツをコンテンツ群表示とするコンテンツ群表示ステップと、
を含み、
前記コンテンツ群管理ステップは、複数のコンテンツが重なった領域に指先が複数タッチされ、その後、指先を中心方向に動かした場合に、前記複数のコンテンツをコンテンツ群として管理し、
前記コンテンツ群表示は、前記コンテンツの一部に重畳して透過表示される第１領域と、第１領域以外のコンテンツの一部が表示される第２領域とに分かれており、
前記コンテンツ群表示において前記タッチが検出された位置が、第１領域と第２領域とで、当該コンテンツ群表示において可能な操作が異なることを特徴とする表示方法。
【請求項１０】
タッチされた箇所を一又は複数検出可能な位置検出部と、コンテンツを表示可能な表示部とを備えたコンテンツ表示装置において、
前記位置検出部により、複数のタッチされた箇所を頂点とする領域を算出する領域算出手段と、
前記領域に含まれているコンテンツを、コンテンツ群として管理するコンテンツ群管理手段と、
表示されているコンテンツのうち、前記コンテンツ群に含まれるコンテンツをコンテンツ群表示とするコンテンツ群表示手段と、
を備え、
前記コンテンツ群管理手段は、複数のコンテンツが重なった領域に指先が複数タッチされ、その後、指先を中心方向に動かした場合に、前記複数のコンテンツをコンテンツ群として管理することを特徴とするコンテンツ表示装置。
【請求項１１】
タッチされた箇所を一又は複数検出可能な位置検出部と、コンテンツを表示可能な表示部とを備えたコンテンツ表示装置における表示方法であって、
前記位置検出部により、複数のタッチされた箇所を頂点とする領域を算出する領域算出ステップと、
前記領域に含まれているコンテンツを、コンテンツ群として管理するコンテンツ群管理ステップと、
表示されているコンテンツのうち、前記コンテンツ群に含まれるコンテンツをコンテンツ群表示とするコンテンツ群表示ステップと、
を含み、
前記コンテンツ群管理ステップは、複数のコンテンツが重なった領域に指先が複数タッチされ、その後、指先を中心方向に動かした場合に、前記複数のコンテンツをコンテンツ群として管理することを特徴とする表示方法。
【発明の詳細な説明】
【技術分野】
【０００１】
本発明は、タッチされた箇所を一又は複数検出可能な位置検出部と、コンテンツを表示可能な表示部とを備えたコンテンツ表示装置等に関する。
【背景技術】
【０００２】
現在、様々な文章や情報がドキュメントファイルや、映像ファイルといったコンテンツとして提供されている。これらの複数のファイルを一括で管理するためには、コンピュータ等においては、例えば複数のファイルをドラッグし、フォルダに格納したり、一つのアーカイブにまとめることが一般的である。
【０００３】
また、図形ソフト等で複数の図形をまとめて操作したい場合は複数の図形を選択し「グループ化」というメニューを選択する事でグループ化を行っている。これにより、一つのグループとして、複数の図形を管理する事ができる。
【０００４】
また、複数の文章データをグループに分類し、同一のグループに分類された文章データの表示画像データを表示するといった発明も知られている（例えば、特許文献１参照）。
【先行技術文献】
【特許文献】
【０００５】
【特許文献１】特開２００８−２１０１８２号公報
【発明の概要】
【発明が解決しようとする課題】
【０００６】
近年、高解像度である大型のタッチディスプレイが普及しつつある。このような、ディスプレイの利用方法の一例として、机上に設置し、顧客に見せながら説明したり、提案したりするとった対面接営業等で利用されている。
【０００７】
このような場合、複数のコンテンツを表示する場面がある。例えば、パンフレット、約款、契約書等といった複数のコンテンツを一つの画面に表示し、顧客に提示するといった事が考えられる。
【０００８】
これらのコンテンツを一つにまとめる場合には、従来は一度アイコン化（最小化）といった作業が必要となり、表示された状態でそのまま一つのグループにまとめるということができなかった。
【０００９】
更に、対面接営業等で用いられている場合、顧客との対話中に作業をする必要があるため、極力接客に失礼の無い作業が望ましいという要望があった。しかし、従来の方法では、グループ化等の作業を別途行う必要があったり、ファイル送信操作を別途行う必要等があったりするため、会話の流れが遮られてしまうという問題点があった。
【００１０】
また、営業等で用いられる場合、利用者としては様々な層が考えられる。店員を始め、顧客が操作することも多いため、コンピュータ等の情報機器に慣れている者が操作しない場合も多い。そのため、極力直感的な操作が求められるという課題もあった。
【００１１】
上述した課題に鑑み、本発明の目的は、複数の表示されたコンテンツを直感的にグループ化することにより、各種操作や、画面表示を直感的に行う事を可能とするコンテンツ表示装置等を提供することである。
【課題を解決するための手段】
【００１２】
上述した課題を解決するために、本発明のコンテンツ表示装置は、
タッチされた箇所を一又は複数検出可能な位置検出部と、コンテンツを表示可能な表示部とを備えたコンテンツ表示装置において、
前記位置検出部により、複数のタッチされた箇所を頂点とする領域を算出する領域算出手段と、
前記領域に含まれているコンテンツを、コンテンツ群として管理するコンテンツ群管理手段と、
表示されているコンテンツのうち、前記コンテンツ群に含まれるコンテンツをコンテンツ群表示とするコンテンツ群表示手段と、
を備えることを特徴とする。
【００１３】
本発明の表示方法は、
タッチされた箇所を一又は複数検出可能な位置検出部と、コンテンツを表示可能な表示部とを備えたコンテンツ表示装置における表示方法において、
前記位置検出部により、複数のタッチされた箇所を頂点とする領域を算出する領域算出ステップと、
前記領域に含まれているコンテンツを、コンテンツ群として管理するコンテンツ群管理ステップと、
表示されているコンテンツのうち、前記コンテンツ群に含まれるコンテンツをコンテンツ群表示とするコンテンツ群表示ステップと、
を含むことを特徴とする。
【発明の効果】
【００１４】
本発明のコンテンツ表示装置によれば、複数のタッチされた箇所を頂点とする領域に含まれる表示されているコンテンツをコンテンツ群として管理することができ。コンテンツ群表示として表示することができる。したがって、複数のタッチされた領域に含まれており、表示されているコンテンツを容易にまとめることができる。
【図面の簡単な説明】
【００１５】
【図１】本実施形態におけるシステム全体を示す外観図である。
【図２】第１実施形態における機能構成を説明するための図である。
【図３】クリアファイル管理領域のデータ構成の一例を示す図である。
【図４】第１実施形態における処理の流れを説明するフロー図である。
【図５】第１実施形態における動作例を説明するための図である。
【図６】第１実施形態における動作例を説明するための図である。
【図７】第２実施形態における処理の流れを説明するフロー図である。
【図８】第２実施形態における動作例を説明するための図である。
【図９】第２実施形態における動作例を説明するための図である。
【図１０】第３実施形態における処理の流れを説明するフロー図である。
【図１１】第３実施形態における動作例を説明するための図である。
【図１２】第４実施形態における処理の流れを説明するフロー図である。
【図１３】第４実施形態における動作例を説明するための図である。
【図１４】第４実施形態における動作例を説明するための図である。
【図１５】第４実施形態における動作例を説明するための図である。
【図１６】第４実施形態における動作例を説明するための図である。
【図１７】第４実施形態における動作例を説明するための図である。
【図１８】第５実施形態における処理の流れを説明するフロー図である。
【図１９】第５実施形態における動作例を説明するための図である。
【図２０】第５実施形態における動作例を説明するための図である。
【発明を実施するための形態】
【００１６】
以下、図面を参照して本発明を実施するための最良の形態について説明する。なお、説明の都合上、実施形態を例に取って説明するが、表示操作が可能な装置であれば、何れの装置であっても適用可能なことは勿論である。
【００１７】
［１．第１実施形態］
［１．１  全体構成］
まず、本発明のコンテンツ表示装置を適用した表示装置１について説明する。表示装置１は、表示装置に、操作装置が一体となった装置である。例えば、表示装置と操作装置とが一体となったタッチパネルにより構成されている。
【００１８】
また、表示装置は、外部装置と通信可能な通信手段を有している。例えば、ＮＦＣ（Near Field Communication）を用いた近距離無線通信により、携帯端末装置３と通信可能である。
【００１９】
［１．２  機能構成］
続いて、表示装置１の機能構成について、図２を用いて説明する。図２に示すように、表示装置１は、制御部１１０と、操作検出部１２０と、表示部１３０と、通信部１４０と、近距離無線通信部１５０と、記憶部１６０とを備えて構成されている。
【００２０】
制御部１１０は、表示装置１の全体を制御するための機能部である。制御部１１０は、記憶部１６０に記憶されている各種プログラムを読み出して実行することにより各種機能を実現しており、例えばＣＰＵ（Central Process Unit）等により構成されている。
【００２１】
操作検出部１２０は、利用者からの操作を検出する機能部であり、表示部１３０は、利用者に対して学習情報や、コンテンツを表示するための機能部である。例えば、操作検出部１２０と、表示部１３０とは、一体に形成されたタッチパネルによって構成されている。タッチパネルは、好ましくは（投影型）静電容量方式や、超音波方式、赤外線方式といったマルチタッチが検出可能な方式を利用するが、抵抗膜方式や（表面型）静電容量方式等によっても実現可能である。
【００２２】
通信部１４０は、表示装置１が外部装置やサーバと通信を行う為の機能部である。例えば、ＷｉＦｉ（ＩＥＥＥ８０２．１１ａ／ｂ／ｇ／ｎ）や、３Ｇ／ＬＴＥ回線等が利用可能なＮＩＣ（Network Interface Card）により構成されている。
【００２３】
近距離無線通信部１５０は、携帯端末装置３と通信を行う為の機能部である。本実施形態では、ＮＦＣ通信を行える通信機能部である。ここで、携帯端末装置３は、近距離無線通信部１５０と通信可能な手段を備えたコンテンツ表示可能な装置であれば良い。例えば、携帯電話、スマートフォン、タブレット、電子辞書、デジタルカメラ等の各種装置となる。
【００２４】
また、近距離無線通信部１５０は、本実施形態ではＮＦＣを利用するが、他の方式、例えば、Ｂｌｕｅｔｏｏｔｈ（登録商標）や、ＩｒＤＡ、ワイヤレスＵＳＢ、ＺｉｇＢｅｅといった各種通信方式を選択可能である。
【００２５】
記憶部１６０は、表示装置１の動作に必要な各種プログラムや、各種データが記憶されている機能部である。記憶部１６０は、例えば、半導体メモリや、ＨＤＤ（Hard Disk Drive）等により構成されている。
【００２６】
ここで、記憶部１６０には、各種コンテンツを記憶するコンテンツ記憶領域１６２が確保されており、各コンテンツからクリアファイルを生成し、管理するクリアファイル管理領域１６４が記憶されている。
【００２７】
コンテンツ記憶領域１６２には各種コンテンツが記憶されている。記憶されるコンテンツは、例えば静止画データ、動画データ、テキストデータ、ドキュメントデータ（例えばＰＤＦファイルや、文章ファイル、電子書籍等）といった、表示部１３０において表示可能はコンテンツが記憶されている。
【００２８】
クリアファイル管理領域１６４は、コンテンツをまとめて管理するクリアファイルを管理する領域である。クリアファイルとは、利用者が選択したり、システムによって選択されたコンテンツを一つの関連するコンテンツ群として管理するための仕組みである。
【００２９】
例えば、図３にクリアファイル管理領域１６４において管理される情報について説明する。クリアファイル管理領域１６４は、コンテンツ毎のＩＤであるＣＩＤ（例えば、「ＰＤ０１２５」）と、当該ＩＤに対応するコンテンツ（例えば、「ｃａｔ０１．ｐｄｆ」）と、コンテンツが表示される場合のサムネイル（例えば、「ｃａｔ０１」）と、クリアファイル毎のＩＤであるＦＩＤ（例えば、「００１」）と、クリアファイル内でのコンテンツの順位（例えば、「１」）とが記憶され、管理されている。
【００３０】
なお、ここではクリアファイル管理領域１６４において管理するが、例えば、ＣＩＤに対応づけてコンテンツ、サムネイル等は別に管理しても良い。
【００３１】
［１．３  処理例］
続いて、第１実施形態における処理例について、図４を用いて説明する。まず、操作検出部１２０から、４点タッチが検出されると（ステップＳ１０２）、当該４点タッチ位置は、表示されているコンテンツ領域外か否かを判定する（ステップＳ１０４）。
【００３２】
ここで、判定する領域の方法としては様々な方法が考えられる。単純に、４点ともコンテンツが表示されていない領域であることを判定する場合もあれば、４点のうち、２〜３点の位置が領域外であるか否かを判定しても良い。また、同一コンテンツ上において４点の領域が検出された以外は、コンテンツ領域外と判定してもよい。
【００３３】
４点タッチ位置が表示されたコンテンツ領域外ではないと判定された場合は、他処理を実行する（ステップＳ１０４；Ｎｏ）。
【００３４】
４点タッチ位置が表示されたコンテンツ領域外と判定された場合は（ステップＳ１０４；Ｙｅｓ）、４点を頂点とする矩形領域を算出する（ステップＳ１０６）。そして、算出された矩形領域にコンテンツがある場合（表示されているコンテンツが矩形領域に含まれている場合）、該当するコンテンツをクリアファイルに入れる（すなわち、同一の識別情報を持つクリアファイルとして管理する）こととなる（ステップＳ１０８；Ｙｅｓ→ステップＳ１１０）。
【００３５】
［１．４  動作例］
続いて、本実施形態における動作例について説明する。図５は、表示部１３０の表示画面にコンテンツが表示されている状態を説明している図である。
【００３６】
この表示画面には、コンテンツＣ１０、コンテンツＣ１２及びコンテンツＣ１４が表示されている。そして、利用者が、親指と人差し指を用いて、４点をタッチする。例えば、左手人差し指（ａ１）、左手親指（ａ２）、右手人差し指（ｂ１）、右手親指（ｂ２）とでタッチパネル（操作検出部１２０）をタッチする。
【００３７】
この四点（ａ１，ａ２，ｂ１，ｂ２）で作られる矩形領域に含まれているコンテンツが、一つのクリアファイルとして格納される。具体的には、コンテンツＣ１０、コンテンツＣ１２及びコンテンツＣ１４が、一つのクリアファイルで管理されることとなる。これは、同一のコンテンツＩＤが付されてクリアファイル管理領域１６４で管理されることとなる。
【００３８】
図６は、クリアファイルとして表示された場合の表示形態の一例である。ここで、クリアファイルの表示としては、格納コンテンツ領域Ｒ１０と、クリアファイル領域Ｒ２０とが表示される。本実施形態では、クリアファイル領域Ｒ２０は、透過処理されており、格納されたコンテンツが確認できるようになっている。
【００３９】
このように、利用者からは、容易な操作で、コンテンツファイルを指定して一つのクリアファイルにまとめることが出来るようになる。また、表示されるコンテンツの形態がコンテンツ単独状態と、クリアファイル状態では変化するため、容易に視認することが可能となる。
【００４０】
さらに、両手でコンテンツを囲むようにタッチすれば済むことから、例えば営業等の場面で、顧客と面接中に、自然な状態でコンテンツを指定することが可能となる。
【００４１】
なお、本実施形態では、検出される点としては４点として説明しているが、複数の点を検出できればよく、それ以上であっても、それ以下であっても良い。すなわち、３点であれば三角形を検出すれば良いし、５点以上であれば５点で囲まれた領域を算出すれば良い。
【００４２】
［２．第２実施形態］
続いて、第２実施形態について説明する。第２実施形態は、両手でコンテンツを指定せずに、片手で選択する場合について説明する。
【００４３】
ここで、第２実施形態の機能構成は第１実施形態の図２と同様であり、詳細な説明を省略する。すなわち、本実施形態における処理についてのみ、図７を用いて説明する。
【００４４】
まず、複数点のタッチを検出する（ステップＳ２０２）。すなわち、例えば右手の指５本で書類をつかむイメージであるため、５本の指が全て検出されたか否かを判定する。そして、複数点のタッチが検出された後、複数点タッチが中心に移動したか否かを判定する（ステップＳ２０４）。
【００４５】
すなわち、５つの検出された検出点が所定の範囲内になったことにより、中心に移動したと判定し、最初にタッチした位置を検出する（ステップＳ２０６）。ここで、タッチした位置に含まれるコンテンツがある場合には（ステップＳ２０８；Ｙｅｓ）、該当するコンテンツをクリアファイルに入れる（すなわち、同一の識別情報を持つクリアファイルとして管理する）こととなる（ステップＳ２１０）。
【００４６】
図８は、コンテンツが重畳して表示されているときに、利用者が手を広げて（いわゆるパーの状態に）タッチしている状態である。この状態から、矢印方向に各指を動かす（５本の指をよせる）ことにより、５本の指の領域に含まれるコンテンツが図９に表示されるように一つのクリアファイルとして表示される。
【００４７】
このように、本実施形態によれば、片手で複数のコンテンツを選択し、一つのクリアファイルとして容易に管理することが出来るようになる。
【００４８】
［３．第３実施形態］
続いて、第３実施形態について説明する。第３実施形態は、クリアファイルを容易に携帯端末装置３に転送できる実施形態である。
【００４９】
また、クリアファイルを生成するためには、第１実施形態や第２実施形態の処理が実行される。また、第３実施形態の機能構成は第１実施形態の図２と同様であり、詳細な説明を省略する。すなわち、本実施形態における処理についてのみ、図１０を用いて説明する。
【００５０】
近距離無線通信部１５０により携帯端末装置３と通信が可能であることを検出すると（ステップＳ３０２；Ｙｅｓ）、画面上にコンテンツや、クリアファイルが表示されているか否かを判定する（ステップＳ３０４）。ここで、本実施形態における近距離無線通信部１５０は、ＮＦＣを利用するものとする。すなわち、ＮＦＣによる通信が行われたか否かを検出する。
【００５１】
画面上にコンテンツや、クリアファイルが表示されていない場合は他処理を実行する（ステップＳ３０４；Ｎｏ）。他方、画面上にコンテンツや、クリアファイルが表示されている場合には（ステップＳ３０４；Ｙｅｓ）、最前面に表示されているものが、携帯端末装置３に送信される。
【００５２】
すなわち、画面上において、最前面にクリアファイルが表示されている場合には（ステップＳ３０６；Ｙｅｓ）、クリアファイルに入っているコンテンツ（クリアファイルとして管理されているコンテンツ）が、携帯端末装置３に送信される（ステップＳ３０８）。また、最前面にコンテンツが表示されている場合には（ステップＳ３０６；Ｎｏ）、最前面に表示されているコンテンツが送信される（ステップＳ３１０）。
【００５３】
図１１が、本実施形態における動作例である。表示装置１に設けられたＮＦＣ通信部１２に、携帯端末装置３のＮＦＣ通信部（不図示）をタッチする。ＮＦＣ通信部により、通信が可能となると、表示装置１に表示されているクリアファイルＣ３２に入っているコンテンツが携帯端末装置３に送信されることとなる。
【００５４】
このように、本実施形態によれば、コンテンツだけでなく、クリアファイルに管理されているコンテンツ群であっても、近距離無線通信部を介して携帯端末装置に容易に転送することができる。
【００５５】
［４．第４実施形態］
続いて、第４実施形態について説明する。第４実施形態は、クリアファイルに対する操作について説明する実施形態である。
【００５６】
また、クリアファイルを生成するためには、第１実施形態や第２実施形態の処理が実行される。また、第４実施形態の機能構成は第１実施形態の図２と同様であり、詳細な説明を省略する。すなわち、本実施形態における処理についてのみ、図１２を用いて説明する。
【００５７】
クリアファイルのタッチが検出されると（ステップＳ４０２；Ｙｅｓ）、クリアファイルのクリアファイル領域か、格納コンテンツ領域かの何れかがタッチされたか否かを判定する。ここで、クリアファイル領域のタッチが検出された場合には（ステップＳ４０４；Ｎｏ）、クリアファイル全体の操作として検出される（ステップＳ４１４）。
【００５８】
例えば、図１３に示すように、クリアファイル領域がタッチされ、矢印方向にスライド（スワイプ）されることにより、クリアファイル全体が移動する。また図１４のようにストレッチ操作（ピンチアウト操作）によりクリアファイルが拡大し、ピンチ操作（ピンチイン操作）によりクリアファイルが縮小する。更に、図１５に示すように回転操作といった、通常のタッチ操作に応じた処理が実行される。
【００５９】
他方、格納コンテンツ領域のタッチを検出すると（ステップＳ４０４；Ｙｅｓ）、クリアファイルにおいて管理されているコンテンツをクリアファイル外へ移動したか否かを検出する（ステップＳ４０６）。すなわち、格納コンテンツ領域にタッチ検出され、クリアファイル外にスライド操作（スワイプ操作）されたことを検出する。
【００６０】
クリアファイル外に移動したことを検出した場合には（ステップＳ４０６；Ｙｅｓ）、移動されたコンテンツを、クリアファイルから取り出す（クリアファイルの管理から解除する）（ステップＳ４０８）。
【００６１】
ここで、取り出されるコンテンツとしては、現在表示されているコンテンツが取り出されることとなるが、直接取り出すコンテンツが指定されても良い。例えば、コンテンツを段付き表示にし、必要なコンテンツを取り出したり、長押しすることにより、取り出すコンテンツを選択しても取り出したりしても良い。
【００６２】
また、コンテンツが取り出された後、クリアファイル内にコンテンツが１つしか格納されていない（管理されていない）場合には（ステップＳ４１０；Ｙｅｓ）、クリアファイルを消去する（ステップＳ４１２）。具体的には、クリアファイルとしての管理を中止するともに、クリアファイルの表示を消去し、単なるコンテンツとして表示される事となる。
【００６３】
例えば、図１６に示すように、クリアファイルのうち、格納コンテンツ領域がタッチされる。そして、図１７に示すように、矢印方向にスライド操作されることにより、現在タッチされているコンテンツが取り出される。
【００６４】
ここで、コンテンツが取り出されるタイミングとしては、図１７のように、クリアファイルの表示領域から外れた段階で取り出されると判定しても良いし、コンテンツがクリアファイルの表示領域から完全に外れた段階で取り出されると判定しても良い。
【００６５】
［５．第５実施形態］
続いて第５実施形態について説明する。第５実施形態は、クリアファイルにコンテンツを追加する場合の実施形態である。
【００６６】
また、クリアファイルを生成するためには、第１実施形態や第２実施形態の処理が実行される。また、第５実施形態の機能構成は第１実施形態の図２と同様であり、詳細な説明を省略する。すなわち、本実施形態における処理についてのみ、図１８を用いて説明する。
【００６７】
まず、コンテンツかクリアファイル（クリアファイル領域上）のタッチが検出される（ステップＳ５０２；Ｙｅｓ）。
【００６８】
ここで、移動操作以外（例えば、ピンチ操作や回転操作等）がされた場合には、操作に対応する動作を実行する（ステップＳ５０４；Ｎｏ→ステップＳ５１４）。
【００６９】
次に、移動操作が検出された場合（ステップＳ５０４；Ｙｅｓ）、どこに移動しているかを検出する。ここで、他のクリアファイル上に移動された場合には（ステップＳ５０６；Ｙｅｓ）、該当するコンテンツ等をクリアファイルに入れ（ステップＳ５０８）、クリアファイルを再描画する（ステップＳ５１０）。
【００７０】
具体的には、コンテンツが移動された場合には、移動されたコンテンツが、移動先にあるクリアファイルに管理されるようにクリアファイル管理領域１６４を更新する。また、クリアファイルが移動した場合には、移動元となっているクリアファイルを、移動先となるクリアファイルに連結する。例えば、クリアファイル管理領域１６４に記憶されている移動元のＦＩＤを、移動先のＦＩＤに更新する。そして、移動先に格納されているコンテンツの順位に続けて、移動元のコンテンツについて順位を追加する。
【００７１】
他方、移動操作が検出された場合に、他のクリアファイル上でない場合は、単純にコンテンツ又はクリアファイルの移動操作を行うこととなる（ステップＳ５０６；Ｎｏ→ステップＳ５１２）。
【００７２】
例えば、図１９のように、コンテンツを一つ選択して、クリアファイル上に矢印方向に移動することでコンテンツをクリアファイルに入れても良い。また、図２０のように、クリアファイルを一つ選択して、異なるクリアファイル上に矢印方向に移動することで、クリアファイルにクリアファイルを入れることとしてもよい。
【００７３】
このように、本実施形態によれば、既にあるクリアファイルに新たなコンテンツを追加できたり、複数のクリアファイルを連結するといったことが可能となる。
【００７４】
［６．第６実施形態］
第６実施形態は、クリアファイルが表示されているときに、表示されるコンテンツ表示を変更する実施形態について説明する。
【００７５】
すなわち、クリアファイル領域と格納コンテンツ領域とのそれぞれの領域においてタッチ操作が検出される。そして、例えばクリアファイル領域をタッチしたまま、格納コンテンツ領域をスライド操作する。
【００７６】
こうすることにより、クリアファイルに入っているコンテンツが切り替えて表示されることになる。これにより、クリアファイルの中において表示させておきたいコンテンツを利用者が任意に選択することができる。
【００７７】
［７．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００７８】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００７９】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００８０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００８１】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００８２】
１  表示装置
１１０  制御部
１２０  操作検出部
１３０  表示部
１４０  通信部
１５０  近距離無線通信部
１６０  記憶部
１６２  コンテンツ記憶領域
１６４  クリアファイル管理領域
３  携帯端末装置
【図１】
0006405143.tif 000002
【図２】
0006405143.tif 000003
【図３】
0006405143.tif 000004
【図４】
0006405143.tif 000005
【図５】
0006405143.tif 000006
【図６】
0006405143.tif 000007
【図７】
0006405143.tif 000008
【図８】
0006405143.tif 000009
【図９】
0006405143.tif 000010
【図１０】
0006405143.tif 000011
【図１１】
0006405143.tif 000012
【図１２】
0006405143.tif 000013
【図１３】
0006405143.tif 000014
【図１４】
0006405143.tif 000015
【図１５】
0006405143.tif 000016
【図１６】
0006405143.tif 000017
【図１７】
0006405143.tif 000018
【図１８】
0006405143.tif 000019
【図１９】
0006405143.tif 000020
【図２０】
0006405143.tif 000021